(57)【要約】誘電体基板の第１の側の上に実装された誘電体素子と、この基板の第１の側の上に配置され、この基板と誘電体素子との間に伸びるマイクロストリップ形フィードと、基板の第１の側とは反対側の第２の側上に形成された導電層とを備え、アパーチャが誘電体素子の位置に対応する位置の導電層の中に形成される誘電体アンテナが提供される。このアンテナは、電気的に小型であり、帯域幅が広く、良好なゲイン特性を有し、効率的であり、容易に離調されない。
2005536134.tif 000002
【特許請求の範囲】
【請求項１】
誘電体基板の第１の側の上に実装された誘電体素子と、前記基板の第１の側の上に配置され、前記基板と前記誘電体素子との間に伸びるマイクロストリップ形フィードと、前記基板の第１の側とは反対側の第２の側上に形成された導電層とを備え、アパーチャが前記誘電体素子の位置に対応する位置の前記導電層の中に形成されることを特徴とする誘電体アンテナ。
【請求項２】
誘電体基板の第１の側の上に配置されたマイクロストリップ形フィードと、前記基板の第１の側の反対側の第２の側の上に形成された導電層と、前記アパーチャの中又は少なくとも前記アパーチャと重なる前記基板の第２の側の上に取り付けられた誘電体素子とを備え、前記導電層の中にアパーチャが形成されることを特徴とする誘電体アンテナ。
【請求項３】
前記アパーチャの面積が前記誘電体基板に面する又は接触する前記誘電体素子の表面よりも大きいことを特徴とする請求項１又は２に記載のアンテナ。
【請求項４】
前記アパーチャが前記導電層によって全ての側が取り囲まれることを特徴とする請求項１〜３のいずれかに記載のアンテナ。
【請求項５】
前記アパーチャが前記基板の第２の側の少なくとも１つの端部又はコーナまで伸び、このため、全ての側が前記導電層によって取り囲まれることはないことを特徴とする請求項１〜３のいずれかに記載のアンテナであって、
【請求項６】
前記誘電体素子が低損失の誘電体セラミック材料から作られることを特徴とする先行する請求項のいずれか１つに記載のアンテナ。
【請求項７】
前記誘電体素子の形状が長円形又は長方形であることを特徴とする先行する請求項のいずれかに記載のアンテナ。
【請求項８】
前記誘電体素子の形状が半分割又は１／４分割された円筒形であることを特徴とする請求項１〜６のいずれか１つに記載のアンテナ。
【請求項９】
前記誘電体素子の端部領域又は湾曲面が研削などによって面取り又は平坦にされることを特徴とする請求項６〜８のいずれか１つに記載のアンテナ。
【請求項１０】
前記アパーチャの形状が前記誘電体基板に面する又は接触する前記誘電体素子の表面の形状に類似していることを特徴とする先行する請求項のいずれかに記載のアンテナ。
【請求項１１】
前記アパーチャの形状が前記誘電体基板に面する又は接触する前記誘電体素子の表面の形状とは異なっていることを特徴とする請求項１〜９のいずれか１つに記載のアンテナ。
【請求項１２】
前記マイクロストリップ形フィードが前記誘電体素子の１つの端部で又は前記誘電体素子の１つの端部に向かって前記誘電体素子と前記基板の第１の側との間を通過する通過することを特徴とする請求項１又は請求項１に従属するいずれかの請求項に記載のアンテナ。
【請求項１３】
前記誘電体素子が前記基板にほぼ平行する主軸及び短軸を有し、これらの軸が、それぞれ、前記誘電体素子の長さ及び幅を定義することを特徴とする先行する請求項のいずれかに記載のアンテナ。
【請求項１４】
前記マイクロストリップ形フィードが、前記誘電体素子の近傍で前記主軸にほぼ直交するほぼ直線の延長部を有することを特徴とする請求項１３に記載のアンテナ。
【請求項１５】
前記マイクロストリップ形フィードが前記誘電体素子の近傍で曲がる、湾曲する又はカールすることを特徴とする請求項１〜１３のいずれか１つに記載のアンテナ。
【請求項１６】
前記マイクロストリップ形フィードが前記誘電体素子の幅の一部分のみを横切って伸びることを特徴とする請求項１３又は請求項１３に従属するいずれかの請求項に記載のアンテナ。
【請求項１７】
前記マイクロストリップ形フィードが前記誘電体素子の全幅を横切って伸びることを特徴とする請求項１３又は請求項１３に従属する請求項１４若しくは１５に記載のアンテナ。
【請求項１８】
前記マイクロストリップ形フィードが前記誘電体素子の全幅を超えて伸びることを特徴とする請求項１３又は請求項１３に従属する請求項１４若しくは１５に記載のアンテナ。
【請求項１９】
前記アパーチャが前記導電層に接触しない導電材料で部分的に充填されることを特徴とする先行する請求項のいずれかに記載のアンテナ。
【請求項２０】
前記誘電体素子の少なくとも１つの表面上に導電性のコーティングが設けるられることを特徴とする先行する請求項のいずれかに記載のアンテナ。
【請求項２１】
前記少なくとも１つの表面が前記誘電体基板に面する又は接触する前記誘電体素子の表面であることを特徴とする請求項２０に記載のアンテナ。
【請求項２２】
添付の図面を参照して十分に述べたような又は添付の図面の中に示されているような誘電体アンテナ。
【発明の詳細な説明】
【技術分野】
【０００１】
本発明は、フィードとアパーチャを有する接地面とを備えた帯域幅の広い誘電体アンテナに関する。
【背景技術】
【０００２】
誘電体アンテナは、例えば、移動体通信で使用されるような、選択された送信及び受信周波数における電波を放射又は受信する装置である。一般に、誘電体アンテナは、接地基板上に又はその近くに配置された誘電材料の物体から構成され、エネルギーは誘電材料の中に挿入された単極プローブによって又は接地基板の中に設けられた単極アパーチャフィード（monopole aperture feeds）によって、誘電材料に又は誘電材料から送られる。（アパーチャフィードは、誘電材料によってカバーされ、接地基板の中に設けられ、形状が一般に長方形の不連続体であるが、楕円形、長円形、台形の「Ｈ」形、「＜＿＞」形、又はバタフライ／ボウタイ形及びこれらの形状の組合せも妥当である。アパーチャのフィードは、誘電材料から離れた接地基板の側に配置された、マイクロストリップ伝送回線、接地された又は接地されない共面伝送回線、トリプレート（triplate）、スロットライン（slotline）などの形式のストリップ形フィード（strip feed）によって励起される。）マイクロストリップ伝送回線への直接接続及びその回線による励起も可能である。別の方法では、ダイポール形プローブ（dipole probe）を誘電材料の中に挿入することができ、この場合は、接地基板は必要ではない。例えば、本願の同時係属の米国特許出願第０９／４３１，５４８号並びにKINGSLEY, S.P. 及び O'KEEFE, S.G.による「Beam steering and monopulse processing of probe-fed dielectric resonator antennas」という名称の出版物、IEE Proceedings - Radar Sonar and Navigation, 146, 3, 121 - 125, 1999、の中で説明されているように、複数のフィードを設けて、これらを連続して又は様々な組合せで励起することによって、連続的に又は漸増的に操縦可能なビームを形成することができる。これらの全体の内容は、参照することによって本願に組み込まれる。
【０００３】
誘電体アンテナの共振特性は、特に、誘電材料の物体の形状及び寸法、そこへ行くフィードの形状、寸法及び位置、並びに接地面の形状、寸法及び位置に依存する。誘電体アンテナでは、フィードによって励起されるときに放射するのは誘電材料であることは理解されよう。これは誘導体装荷アンテナ（dielectrically loaded antenna）（ＤＬＡ）と対比される。このアンテナでは、伝統的な導電性の放射素子は、放射素子の共振特性を変更する誘電材料で包まれる。さらなる相違点としては、ＤＬＡでは誘導体の中に変位電流は流れないか又は流れてもごく僅かであるのに対して、誘電体共振器アンテナ（ＤＲＡ）又は高誘電体アンテナ（ＨＤＡ）には重要な変位電流がある。
【０００４】
誘電体アンテナは様々な形状にすることができ、一般的な形状は円筒形又は半分割若しくは１／４分割の円筒形である。誘電媒体は、セラミックの誘電体を含む幾つかの候補の材料から作ることができる。
【０００５】
誘電体共振器アンテナは、１９８３年に最初に体系的に研究された（LONG, S.A., McALLISTER, M.W., 及び SHEN, L.C.: 「The Resonant Cylindrical Dielectric Cavity Antenna」, IEEE Transactions on Antennas and Propagation, AP-31, 1983, pp 406-412）。その後、放射効率が高いこと、最も一般的に使用される伝送回線に良く適合すること及び物理的な寸法が小さいことのため、その放射パターンに対する関心が増大してきた（MONGIA, R.K. 及び BHARTIA, P.: 「Dielectric Resonator Antennas - A Review and General Design Relations for Resonant Frequency and Bandwidth」, International Journal of Microwave and Millimetre-Wave Computer-Aided Engineering, 1994, 4, (3), pp 230-247）。幾つかのより最近の開発に関する要約はPETOSA, A., ITTIPIBOON, A., ANTAR, Y.M.M., ROSCOE, D., 及び CUHACI, M.による「Recent advances in Dielectric-Resonator Antenna Technology」, IEEE Antennas and Propagation Magazine, 1998, 40, (3), pp 35 - 48、の中に見出すことができる。
【０００６】
接地面（接地基板）上に又はその近くに実装されて、適当な方法で励起される場合、種々の基本的な形状が良好な誘電体共振器の構造体として動作することが認められている。恐らくこれらの形状の中で最も良く知られていることを下記に示す。
【０００７】
長方形（McALLISTER, M.W., LONG, S.A. 及び CONWAY G.L.: 「Rectangular Dielectric Resonator Antenna」, Electronics Letters, 1983, 19, (6), pp 218-219）。
【０００８】
三角形（ITTIPIBOON, A., MONGIA, R.K., ANTAR, Y.M.M., BHARTIA, P. 及び CUHACI, M.: 「Aperture Fed Rectangular and Triangular Dielectric Resonators for use as Magnetic Dipole Antennas」, Electronics Letters, 1993, 29, (23), pp 2001-2002）。
【０００９】
半球（LEUNG, K.W.: 「Simple results for conformal-strip excited hemispherical dielectric resonator antenna」, Electronics Letters, 2000, 36, (11)）。
【００１０】
円筒形（LONG, S.A., McALLISTER, M.W., 及び SHEN, L.C.: "The Resonant Cylindrical Dielectric Cavity Antenna", IEEE Transactions on Antennas and Propagation, AP-31, 1983, pp 406-412）。
【００１１】
半分割円筒形（接地面に垂直に実装された半分のシリンダ）（MONGIA, R.K., ITTIPIBOON, A., ANTAR, Y.M.M., BHARTIA, P. 及び CUHACI, M: 「A Half-Split Cylindrical Dielectric Resonator Antenna Using Slot-Coupling」, IEEE Microwave and guided Wave Letters, 1993, Vol. 3, No. 2, pp 38-39）。
【００１２】
これらのアンテナの図案の幾つかを、セクタに分割することもできる。例えば、円筒形のＤＲＡを半分割することができる（TAM, M.T.K. 及び MURCH, R.D.: 「Half volume dielectric resonator antenna designs」, Electronics Letters, 1997, 33, (23), pp 1914 - 1916）。しかしながら、アンテナを半分に分割したり又はそれをさらにセクタに区切っても、円筒形、長方形などからの基本的な形状が変わることはない。
【００１３】
高誘電体アンテナ（ＨＤＡ）はＤＲＡと似ているが、誘電体共振器の下に配置された大きな接地面を有する代わりに、ＨＤＡの接地面は小さいか又は接地面を全く持っていない。ＤＲＡは一般に大きく明確な共振周波数を有するのに対して、ＨＤＡはあまり明確でない共振周波数を有する傾向があるが、高範囲の周波数にわたって動作する。ＨＤＡは、ＤＲＡと同じ種々の好ましい形状を取ることができる。しかしながら、放射するためのどのような任意の誘電体の形状も作ることができ、このことは、アンテナをそのケーシングに共形するように設計しようとする場合に好都合である。
【００１４】
ＤＲＡ及びＨＤＡは両方とも、主放射体は誘電体共振器である。ＤＬＡでは、主放射体は導電性の構成部品（例えば、銅線など）であり、誘電体はアンテナが動作する媒体を変更して、一般にアンテナを小型にする。
【００１５】
本願の目的に関しては、「誘電体アンテナ」という表現は、（本発明のいくつかの実施形態は非均一に装荷された単極として判断するため）ＤＲＡ，ＨＤＡ及びＤＬＡを包含するものと定義する。
【発明の開示】
【００１６】
本発明の第１の態様によれば、誘電体基板の第１の側の上に実装された誘電体素子と、この基板の第１の側の上に配置され、この基板と誘電体素子との間に伸びるマイクロストリップ形フィードと、基板の第１の側とは反対側の第２の側上に形成された導電層とを備え、アパーチャが誘電体素子の位置に対応する位置の導電層の中に形成される誘電体アンテナが提供される。
【００１７】
本発明の実施形態は電気的に小型であり、帯域幅が広く、良好なゲイン特性を有し、効率的であり、容易に離調されない。
【００１８】
本発明の実施形態は、携帯電話のハンドセット用アンテナとして特に良く適合する。この用途では、ますます広くなる帯域幅は、当世のハンドセットが３Ｇ（第三世代）及びブルーテュース（登録商標）並びに現行のＧＳＭ帯域で動作するために必要な付加的な機能をカバーするために求められている。
【００１９】
基板の第２の側上の導電層は、本発明の実施形態のアンテナに対する接地面として動作する。
【００２０】
導電層内のアパーチャの面積は、基板の第１の側に面する又はそれと接触する誘電体素子の表面よりも大きいことが好ましい。アパーチャの形状は、長方形又は任意の他の適当な形状とすることができる。アパーチャの形状は、基板の第１の側に接触する誘電体素子の表面の形状と同様であるか又はほぼ同一とすることができるが、異なる形状であっても良い。
【００２１】
誘電体共振器は、低損失の誘電体セラミック材料のようなものとすることができ、形状が長円形又は長方形、半分割した円筒形、又はその湾曲した表面をほぼ平らになるように削り取った半分割した円筒形とすることが好ましい。１／４分割した円筒形などの他の形状又は構造は用いられない。本発明の実施形態は、誘電率が異なる別の誘電体のセラミック材料を用いると動作が良好になることが判明した。誘電体素子の少なくとも一部が基板の第１の側に接触することが一般に好ましいが、本発明の実施形態は、誘電体素子を基板に接近させるが基板には直接接触しないように取り付ける場合でも正常に機能する。例えば、マイクロストリップ形フィードが基板の第１の側と完全に同一平面ではなく、また誘電体素子がマイクロストリップ形フィードの頂部に実装される場合は、基板の第１の側に面する誘電体素子の表面と基板自体の第１の側との間に小さいエアギャップが生じる可能性がある。このギャップは、誘電体のパッド又はストリップ又は他の誘電体の充填材料で、又は場合によっては導電性のパッド又はストリップ又は他の導電性の充填材料でブリッジされる。
【００２２】
マイクロストリップ形フィードは、好ましくは、誘電体素子の１つの端部で又は誘電体素子の１つの端部に向かって誘電体素子と基板の第１の側との間を通過する。マイクロストリップ形フィードは、誘電体素子の近傍ではほぼ直線的な延長部を有し、このほぼ直線的な延長部は、誘電体素子の主軸にほぼ直交して配置される。
【００２３】
マイクロストリップ形フィードラインは、誘電体素子の幅の一部分のみを横切って伸びる、又は誘電体素子の全幅を横切って伸びる、又は誘電体素子の全幅をさらに超えて伸びることができる。本発明の実施形態のアンテナからの最良の性能は、マイクロストリップ形フィードが上述したように配置される場合に観察されるが、誘電体素子の下で湾曲又は丸くカールするフィード、又は誘電体素子の下で「Ｌ字」形、「Ｕ字」形などの形状のフィード、及び全ての場所で誘電体素子の主軸に直交してないフィードを含む他のフィードの形状も正常に動作することが実験によって認められている。
【００２４】
導電層の中のアパーチャの全ての側面は、導電材料によって取り囲まれる必要はない。例えば、アパーチャは基板の端部又はコーナに形成する、又は基板の全幅を横切って伸びることができる。しかしながら、アパーチャの全ての側面が導電材料によって囲まれることが一般に好ましい。
【００２５】
誘電体素子のどのような特定の形状又は構造に対しても、アパーチャに対する最適な又はほぼ最適な寸法があることが判明されている。
【００２６】
スロットの幅を増加させることは（すなわち、マイクロストリップ形フィードの伸張方向に）、誘電体アンテナの帯域幅を増加する傾向がある。
【００２７】
スロットの長さを増加させることは（すなわち、マイクロストリップ形フィードが伸びる方向に対して一般に直交する方向に）、周波数のマッチングを向上させる傾向があるが、誘電体アンテナの共振又は動作周波数を高めることはない。
【００２８】
本願は、導電層の中にアパーチャが存在することは、群を抜いて広い帯域幅の性能を持つことに対して極めて重要であることを発見した。しかしながら、アパーチャの一部の一方又は両方の表面は、導電材料が主要な接地面に接触しない限り、導電材料によって「充填する」ことができることが、実験によって見出されている。さらに、アパーチャが基板の上端部を横切って走り、このため主接地面とただ１つの境界を有する場合、またアパーチャが接地面と同じ側が導電材料で、両者の間に小さなギャップしか作らないように充填される場合、ギャップの幅は良好なリターンロス（５０オームに良く適合する）を得るために極めて重要である。リターンロスは、０．５ｍｍのギャップでは劣って（poor）おり、２ｍｍのギャップに対してはまずまず（fair）であり、また５ｍｍより大きいギャップに対しては良好（good）である。
【００２９】
本発明の実施形態の試作品は、誘電体基板としてのプリント回路基板及び導電層としての銅を用いて構成されている。適当な特性を有する他の材料を用いることができることは明白である。本発明の実施形態のアンテナは、様々な厚さ及び異なる誘電率を有する各種の基板に対して良好に動作することが認められている。
【００３０】
誘電体素子を基板の第２の表面の上、すなわち、アパーチャと同じ側の上に置くことができることも判明されている。この構成では、それはむしろ従来のスロット形フィーディング（slot feeding）に近いが、スロットすなわちアパーチャが従来通りに使用されているものよりも一層大きくなる。
【００３１】
本発明の第２の態様によれば、誘電体基板の第１の側の上に配置されたマイクロストリップ形フィードと、基板の第１の側の反対側の第２の側の上に形成され、その中に形成されたアパーチャを有する導電層と、アパーチャの中又は少なくともアパーチャと重なる基板の第２の側の上に取り付けられた誘電体素子と、を備えた誘電体アンテナが提供される。
【００３２】
本発明の第１及び第２の両方の態様の幾つかの実施形態では、誘電体基板の第１又は第２の側に面する又は接触する誘電体素子の表面は、例えば、金属化による導電性のコーティング又は層を備えている。誘電体素子をリフロー又は還流式はんだ付けにより誘電体基板及び／又はマイクロストリップ形フィードの適当な表面に付けることができるため、これはアンテナを製造する間に有用である。別の方法では又はさらに、誘電体素子の１つ以上の他の表面は、例えば、金属化による導電性のコーティング又は層を備えている。
【００３３】
本発明を一層良く理解するために、またそれを実行に移す方法を示すために、ここで一例として添付の図面を参照する。
【発明を実施するための最良の形態】
【００３４】
図１を参照すると、ＰＣＢの形状の誘電体基板１が示されている。この基板の第１の表面上に、低損失の誘電体セラミックのペレット２が実装されている。このペレット２は、半分割された円柱として形成され、その湾曲面は平らな上面を残すように削り取られている。マイクロストリップ形フィードライン３は、ＳＭＡコネクタ４から基板１の第１の表面を横切って伸張し、ペレット２と基板１の第１の表面との間を通過する。マイクロストリップ形フィードライン３はペレット２の主軸にほぼ直交し、その一端でその下を通過することが分かる。第１の表面の反対側の、基板１の第２の表面は、ペレット２の下側の領域を除いて、導電性の金属層５を備えている。この金属層５の中で、アパーチャ６が、導電性の材料５が存在しないことによって定義される。
【００３５】
試作品の誘電体アンテナは、長さが１８．２ｍｍ、高さが５．８ｍｍ及び幅が８ｍｍのペレット２で構成されており、このペレット２は、長さが８０ｍｍ、幅が３５ｍｍ及び厚さ（深さ）が１．６ｍｍのＰＣＢ上に取り付けられている。銅の層が、導電層５として使用されている。１つの実施形態では、アパーチャ６の長さは３５ｍｍ（ＰＣＢ１の幅に対応する）、幅は１４ｍｍであり、別の実施形態では、アパーチャ６の長さは３５ｍｍ、幅は１３．５ｍｍである。
【００３６】
上述した試作品の誘電体アンテナの代表的な性能係数を表１に示す。
【００３７】
【表１】
2005536134.tif 000003
【００３８】
結果は、Ｓ11リターンロスの帯域幅及びＳ21送信帯域幅は両方とも、良好なゲイン（３．３ｄＢｉ）を有するそのような小型アンテナに対して驚くほど大きいことを示している。
【００３９】
図２は、同じ部品を図１のようにラベル付けした、図１の実施形態の別の図を示している。ペレット２の平坦にした上面７を明確に示している。
【００４０】
図３は、アパーチャ６が基板１の全幅にわたって伸びる、本発明の別の実施形態を示している。
【００４１】
図４、図５及び図６は、それぞれ、様々な周波数における図１の実施形態に対する垂直面（vertical elevation）、水平面（horizontal elevation）及びアジマス（azimuth）の放射パターンを示す。有用なゲインが１７１０から２１７０ＭＨｚにわたって得られることが分かる。この周波数帯域は、欧州の１８００ＭＨｚ、米国の１９００ＭＨｚ及びＷＣＤＭＡの携帯電話周波数帯域を包含している。
【００４２】
本発明の誘電体アンテナは、Ansoft（登録商標）HFSSの電磁気シミュレーション用ソフトウェアを用いてシミュレートされた。このシミュレーションは、誘電体アンテナは広い帯域幅にわたって効果的に放射すること、また結果はケーブル、マイクロストリップなどからの放射から生じたアーチファクトを単に測定しているのではないことを確認している。図７は、１９４０ＭＨｚにおける３Ｄ放射パターンのシミュレーションを示す。この図は、その周波数において測定されたパターンに概ね一致している。図７は、図１のようにラベル付けされた部品を用いた、シミュレートされた誘電体アンテナの略図も示している。
【００４３】
図８は、図１、図２、図３及び図７の実施形態とは異なる実施形態を示し、誘電体ＰＣＢの基板１を備えており、この基板１の第１の表面上に誘電体セラミックのペレット２が取り付けられている。マイクロストリップ形フィードライン３は、ＳＭＡコネクタから基板１の第１の表面を横切って伸張し、ペレット２と基板１との間を通過する。基板１の第２の表面は、ペレット２の下側の領域を除いて、接地面として動作する導電性の金属層５を備えている。この金属層５の中で、アパーチャ６が、導電性の材料５が存在しないことによって定義される。図１、図２、図３及び図７の実施形態とは対照的に、誘電体のペレット２はその下側に、マイクロストリップ形フィードライン３及び誘電体基板１の第１の表面に接触する金属の層又はコーティング８を備えている。この金属の層又はコーティング８により、ペレット２をリフロー又は還流式はんだ付けによって基板１に取り付けることができる。これにより、アンテナの製造を迅速かつ簡単に行うことができ、またペレット２と基板１との間の物理的な接続を強固にすることができる。
【００４４】
図９は、本発明の第２の態様の実施形態を示す。この実施形態では、アパーチャ６の部分を除いて、金属層５がその下側に設けられた誘電体のＰＣＢ基板１が提供される。アパーチャ６は、導電性の金属層５が存在しないことによって定義される。マイクロストリップ形フィード３が基板１の上側に配置され、ＳＭＡコネクタ４から、基板１の下側の金属層５の中のアパーチャ６の位置に対応する上側の領域まで伸びている。図１、図２、図３及び図７の実施形態とは対照的に、低損失の誘電体セラミックのペレット２が、基板１の下側のアパーチャ６の中に取り付けられている。この実施形態の誘電体アンテナは、スロット制御方式（slot-fed manner）で動作するとみなすことができるが、従来使用されているものよりもはるかに大きなスロットすなわちアパーチャ６を有している。実際に、図示した実施形態では、スロットすなわちアパーチャ６はペレット２よりも広い。
【００４５】
本発明の好ましい機能は本発明の全ての態様に適用することができ、どのような起こり得る組合せの中でも使用できる。
【００４６】
この明細書の説明及び特許請求の範囲の全体を通して、「構成する」及び「含む」という用語例えば、その用語の変形例は、「含むが限定されない」ことを意味し、他の要素、完全体、一部分、付加物又はステップを除外するつもりはない（また、除外しない）。
【図面の簡単な説明】
【００４７】
【図１】本発明の第１の態様による第１の実施形態の概略平面図である。
【図２】図１の実施形態の斜視図である。
【図３】本発明の第１の態様による第２の実施形態の平面図である。
【図４】図１の実施形態に対する垂直面の放射パターンのプロットを示す図である。
【図５】図１の実施形態に対する水平面の放射パターンのプロットを示す図である。
【図６】図１の実施形態に対するアジマスの放射パターンのプロットを示す図である。
【図７】本発明の第１の態様による第２の実施形態に対するコンピュータがシミュレートした３Ｄ放射パターンを示す図である。
【図８】誘電体素子の下側に導電性のコーティング又は層を設けた、図１、図２及び図３の実施形態に対する代わりの実施形態を示す図である。
【図９】本発明の第２の態様による実施形態を示す図である。
【図１】
2005536134.tif 000004
【図２】
2005536134.tif 000005
【図３】
2005536134.tif 000006
【図４】
2005536134.tif 000007
【図５】
2005536134.tif 000008
【図６】
2005536134.tif 000009
【図７】
2005536134.tif 000010
【図８】
2005536134.tif 000011
【図９】
2005536134.tif 000012
【国際調査報告】
2005536134.tif 000013
2005536134.tif 000014
2005536134.tif 000015